(57)【要約】      （修正有）【課題】監視機能を有しているにも拘わらず、既設のインターホンシステムに対して容易に後付け可能であり、コストの点でも抑えることができるインターホンシステムを提供する。【解決手段】侵入者等により扉６がこじ開けられると、被掛合部７がアーム１３の先端に到達したことをもって、当該こじ開けを引張検出スイッチにより検出する。すると、監視ユニット１は監視状態へ移行して、監視カメラ１１による撮像及びマイクによる集音を開始するとともに、当該映像及び音声をインターホン親機２へ送信する。したがって、従来一般的な監視カメラよりも安価な監視カメラを採用することができる上、室外からは見えない所謂ドアガードのアーム１３に監視カメラ１１が設けられているため、不正に扉６を開けた者を確実に撮像することができる。【選択図】図１
2018081633.tif 000002
【特許請求の範囲】
【請求項１】
住戸の玄関に設置され、来訪者が居住者を呼び出すためのインターホン子機と、前記住戸の居室内に設置され、前記インターホン子機からの呼び出しに応答するためのインターホン親機とを備えているとともに、前記住戸の扉が不正に開放された際に、その開放を監視する監視ユニットを備えたインターホンシステムであって、
前記監視ユニットが、前記住戸の扉の室内側に取り付けられるケース体と、前記ケース体に、前記扉の表面に沿って傾倒する傾倒姿勢と前記扉の表面から起立する起立姿勢との間で回動自在に取り付けられており、前記扉を閉めた状態で前記起立姿勢とすることにより、前記扉の室内側に隣接して設けられた被掛合部に掛合可能なアームと、前記アームに設けられ、前記アームが前記起立姿勢とされたまま前記扉が開かれると室外へ露出する監視カメラと、前記監視カメラが撮像した映像を前記インターホン親機へ送信する通信部と、前記アームが前記被掛合部に引っ張られることにもとづいて、前記アームが前記起立姿勢とされたまま前記扉が開かれた状況を検出する引張検出手段と、前記監視ユニットによる監視動作を制御する制御手段と、前記制御手段に電源を供給するバッテリーとを備えており、
前記制御手段は、前記引張検出手段により前記扉の開放を検出すると、前記監視カメラを作動させて撮像を開始するとともに、撮像した映像を前記インターホン親機へ送信することを特徴とするインターホンシステム。
【請求項２】
前記監視ユニットが、前記アームの姿勢を検出する姿勢検出手段を備えており、
前記アームが前記起立姿勢になったことをもって、前記バッテリーがＯＮとなり、前記起立姿勢でなくなったことをもって、前記バッテリーがＯＦＦとなることを特徴とする請求項１に記載のインターホンシステム。
【請求項３】
前記監視ユニットが、所定の警告音を報音するスピーカを備えており、
前記制御手段は、前記監視カメラによる撮像開始から所定の待機時間の経過をもって前記スピーカを作動させ、前記警告音の報音を開始することを特徴とする請求項１又は２に記載のインターホンシステム。
【発明の詳細な説明】
【技術分野】
【０００１】
本発明は、たとえば住戸の玄関が不用意に開放されようとした場合等に映像を撮像するとともに、その映像を室内に設置されるインターホン親機で表示させるインターホンシステムに関するものである。
【背景技術】
【０００２】
従来、玄関に設置されるインターホン子機と室内に設置されるインターホン親機とを有する一般的なインターホンシステムに対し、更に監視カメラをネットワーク接続したものが考案されている（たとえば特許文献１）。そして、そのような監視カメラを有するインターホンシステムでは、たとえばインターホン子機における呼出操作をきっかけとして監視カメラを作動させ、監視カメラが撮像した映像をインターホン親機へ送信させて、インターホン親機で当該映像を表示／録画するようになっている。
【先行技術文献】
【特許文献】
【０００３】
【特許文献１】特開２０１５−８８７８０号公報
【発明の概要】
【発明が解決しようとする課題】
【０００４】
しかしながら、一般的な監視カメラは高価なものが多く、コストの点で導入しづらいという問題がある。また、既設のインターホンシステムに対して後付けするとなると、上述したようにインターホン子機での呼出操作をきっかけに監視カメラを作動させる等すべく、インターホン親機側の設定やプログラム等も修正する必要がある場合もあり、後付けが一層煩雑となって、更なるコスト高を招くことも考えられる。
【０００５】
そこで、本発明は、上記問題に鑑みなされたものであって、監視機能を有しているにも拘わらず、既設のインターホンシステムに対して容易に後付け可能であり、コストの点でも抑えることができるインターホンシステムを提供しようとするものである。
【課題を解決するための手段】
【０００６】
上記目的を達成するために、本発明のうち請求項１に記載の発明は、住戸の玄関に設置され、来訪者が居住者を呼び出すためのインターホン子機と、住戸の居室内に設置され、インターホン子機からの呼び出しに応答するためのインターホン親機とを備えているとともに、住戸の扉が不正に開放された際に、その開放を監視する監視ユニットを備えたインターホンシステムであって、監視ユニットが、住戸の扉の室内側に取り付けられるケース体と、ケース体に、扉の表面に沿って傾倒する傾倒姿勢と扉の表面から起立する起立姿勢との間で回動自在に取り付けられており、扉を閉めた状態で起立姿勢とすることにより、扉の室内側に隣接して設けられた被掛合部に掛合可能なアームと、アームに設けられ、アームが起立姿勢とされたまま扉が開かれると室外へ露出する監視カメラと、監視カメラが撮像した映像をインターホン親機へ送信する通信部と、アームが被掛合部に引っ張られることにもとづいて、アームが起立姿勢とされたまま扉が開かれた状況を検出する引張検出手段と、監視ユニットによる監視動作を制御する制御手段と、制御手段に電源を供給するバッテリーとを備えており、制御手段は、引張検出手段により扉の開放を検出すると、監視カメラを作動させて撮像を開始するとともに、撮像した映像をインターホン親機へ送信することを特徴とする。
請求項１に記載の発明によれば、一般的な監視カメラよりも安価な監視カメラを採用することができる上、室外からは見えない所謂ドアガードのアームに監視カメラが設けられているため、不正に扉を開けた者を確実に撮像することができる。また、ドアガードに監視機能をもたせているため、既設のインターホンシステムに対して、ドアガードにおけるアーム側を交換するだけで容易に後付けすることができる上、設置に必要なコストを低く抑えることができる。さらに、インターホン親機と監視ユニットとの間の通信に関しても、監視ユニットからインターホン親機へ送信するのみであるため、設定作業等についても簡易に行うことができる。
【０００７】
請求項２に記載の発明は、請求項１に記載の発明において、監視ユニットが、アームの姿勢を検出する姿勢検出手段を備えており、アームが起立姿勢になったことをもって、バッテリーがＯＮとなり、起立姿勢でなくなったことをもって、バッテリーがＯＦＦとなることを特徴とする。
請求項２に記載の発明によれば、監視ユニットが、アームの姿勢を検出する姿勢検出手段を備えており、アームが起立姿勢になったことをもって、バッテリーがＯＮとなり、起立姿勢でなくなったことをもって、バッテリーがＯＦＦとなるため、バッテリーの消費を抑えることができる。
【０００８】
請求項３に記載の発明は、請求項１又は２に記載の発明において、監視ユニットが、所定の警告音を報音するスピーカを備えており、制御手段は、監視カメラによる撮像開始から所定の待機時間の経過をもってスピーカを作動させ、警告音の報音を開始することを特徴とする。
請求項３に記載の発明によれば、監視ユニットが、所定の警告音を報音するスピーカを備えており、制御手段は、監視カメラによる撮像開始から所定の待機時間の経過をもってスピーカを作動させ、警告音の報音を開始する。したがって、撮像開始から警告音の報音までの時間を利用して、扉がどのような状況で開いたのかをより確実に撮像することができ、防犯性を向上することができる。
【発明の効果】
【０００９】
本発明によれば、一般的な監視カメラよりも安価な監視カメラを採用することができる上、室外からは見えない所謂ドアガードのアームに監視カメラが設けられているため、不正に扉を開けた者を確実に撮像することができる。また、ドアガードに監視機能をもたせているため、既設のインターホンシステムに対して、ドアガードにおけるアーム側を交換するだけで容易に後付けすることができる上、設置に必要なコストを低く抑えることができる。さらに、インターホン親機と監視ユニットとの間の通信に関しても、監視ユニットからインターホン親機へ送信するのみであるため、設定作業等についても簡易に行うことができる。
【図面の簡単な説明】
【００１０】
【図１】インターホンシステムを上方から示した説明図である。
【図２】監視ユニットのブロック構成図である。
【発明を実施するための形態】
【００１１】
以下、本発明の一実施形態となるインターホンシステムについて、図面にもとづき詳細に説明する。
【００１２】
図１は、監視ユニット１を上方から示した説明図である。図２は、監視ユニット１のブロック構成図である。
インターホンシステムは、玄関の壁面等に設置され居住者を呼び出すためのインターホン子機（図示せず）と、室内等に設置されインターホン子機からの呼び出しに応答するためのインターホン親機２と、監視カメラ１１を備えた監視ユニット１とを有してなる。インターホン子機は、従来周知のものであって、スピーカやマイクといった通話部や、来訪者が居住者を呼び出す際に操作する呼び出しボタン等を備えてなる。また、インターホン親機２も同様に従来周知のものであって、インターホン子機からの呼び出しに応答するためのボタン等といった操作部３、インターホン子機との間で通話するための通話部４、及び映像等を表示するためのモニター５等を備えてなる。
【００１３】
そして、このインターホンシステムでは、来訪者によってインターホン子機の呼出ボタンが操作されるとインターホン親機２が呼び出され、この呼び出しに応じてインターホン親機２で応答操作がなされると、インターホン子機２とインターホン親機３との間で通話が可能となる。また、玄関の扉６が不用意に開かれると、後述するようにして監視ユニット１の監視カメラ１１が作動し、扉６付近の映像が撮像されるとともに、当該映像がインターホン親機２へ送信され、インターホン親機２のモニター５に表示される。また、監視ユニット１は、監視カメラ１１の作動に応じて、所定の警告時間（たとえば１０秒）にわたり警告音を報音する。
【００１４】
ここで、本発明の要部となる監視ユニット１について説明する。
監視ユニット１は、扉６の室内側に設置されるケース体１５と、ケース体１５に取り付けられ、所謂ドアガードとして機能するアーム１３とを有しているとともに、監視動作に係る制御部１４として、ＣＰＵ２０、映像を撮像するための監視カメラ１１、録音するためのマイク２１、警告音を報音するためのスピーカ２２、映像及び音声をインターホン親機２へ送信するための通信部２３を備えている。また、ケース体１５には、制御部１４へ電源を供給するためのバッテリー１６が内蔵されているとともに、アーム１３の姿勢を検出する姿勢検出スイッチ１７、及びアーム１３が引っ張られたことを検出する引張検出スイッチ１８が内蔵されている。
【００１５】
一方、アーム１３は、先端側がループ状（たとえば正面視Ｕ字状）に成形されてなるもので、基端側を軸として回動自在に取り付けられており、扉６の表面に沿って傾倒する傾倒姿勢や、扉６の表面から起立する起立姿勢へと姿勢を変更可能となっている。そして、このアーム１３の長手方向での中央部に、監視カメラ１１及びマイク２１が設けられている。なお、７は、室内側で扉６に隣接して設けられており、扉６を閉塞させたままアーム１３を起立姿勢とすることによって、アーム１３の基端側が掛合し、且つ、当該状態で扉６が開かれると、アーム１３との掛合状態を維持したままアーム１３の先端側へ移動する被掛合部である。また、姿勢検出スイッチ１７は、アーム１３の回動軸近傍に設けられ、アーム１３を起立姿勢とした際にアーム１３と接触する接触スイッチとして構成することができる。さらに、引張検出スイッチ１７は、これも接触スイッチとして構成することができ、アーム１３が起立姿勢にあるまま扉６が開かれ、被掛合部７がアーム１３の先端まで到達した際、被掛合部７によりアーム１３が相対的に引っ張られることでアーム１３と接触するように、アーム１３の回動軸近傍に設ければよい。
【００１６】
そして、上記監視ユニット１では、以下のような監視動作を行っている。
まず、居住者の外出時等には、アーム１３は傾倒姿勢にあり、その間、監視ユニット１のバッテリー１６はＯＦＦとなって、監視ユニット１は休止状態にある。ここで、居住者が帰宅する等して扉６を閉め、アーム１３を起立姿勢として、被掛合部７に掛合させたとする。すると、アーム１３を起立姿勢としたことが姿勢検出スイッチ１７により検出されるため、この検出をもってバッテリー１６がＯＮされ、監視ユニット１の状態は、監視カメラ１１による撮像及びマイク２１による集音が可能な待機状態へ移行する。
【００１７】
ただ、待機状態にあるまま扉６が開かれることなくアーム１３が傾倒姿勢とされて、アーム１３と被掛合部７との掛合が解除された場合には、監視ユニット１のバッテリー１６は再びＯＦＦとなって、監視ユニット１は休止状態へ移行する。一方、待機状態にある場合に、侵入者等により扉６がこじ開けられると、アーム１３に設けられている監視カメラ１１が、開かれた扉６の隙間から室外へ露出する。また、被掛合部７がアーム１３の先端に到達したことをもって、当該こじ開けが引張検出スイッチ１８により検出される。すると、監視ユニット１は監視状態へ移行し、監視カメラ１１による撮像及びマイク２１による集音を開始し、当該映像及び音声をインターホン親機２へ送信する。また、送信開始後、所定の待機時間（たとえば３秒）が経過すると、スピーカ２２を作動させ、所定の警告時間にわたり警告音を報音する。そして、警告音の報音終了に伴い、監視カメラ１１による撮像及びマイク２１による集音も終了とする。なお、インターホン親機２では、監視ユニット１からの映像及び音声を受信すると、当該映像及び音声を、モニター５等を利用してリアルタイムで出力するとともに、内蔵されているメモリに記録する。
【００１８】
以上のような構成を有するインターホンシステムによれば、扉６の室内側に設置されるケース体１５と、ケース体１５に取り付けられ、所謂ドアガードとして機能するアーム１３とを有しているとともに、ＣＰＵ２０、映像を撮像するための監視カメラ１１、録音するためのマイク２１、警告音を報音するためのスピーカ２２、映像及び音声をインターホン親機２へ送信するための通信部２３、及びアーム１３が引っ張られたことを検出する引張検出スイッチ１８を有する制御部１４と、該制御部１４へ電源を供給するためのバッテリー１６とが設けられた監視ユニット１を備えている。そして、侵入者等による扉６のこじ開けを、被掛合部７がアーム１３の先端に到達したことをもって引張検出スイッチ１８により検出すると、監視状態へ移行して、監視カメラ１１による撮像及びマイク２１による集音を開始するとともに、当該映像及び音声をインターホン親機２へ送信する。したがって、従来一般的な監視カメラよりも安価な監視カメラ１１を採用することができる上、室外からは見えない所謂ドアガードのアーム１３に監視カメラ１１が設けられているため、不正に扉６を開けた者を確実に撮像することができる。また、ドアガードに監視機能をもたせているため、既設のインターホンシステムに対して、ドアガードにおけるアーム１３側を交換するだけで容易に後付けすることができる上、設置に必要なコストを低く抑えることができる。さらに、インターホン親機２と監視ユニット１との間の通信に関しても、監視ユニット１からインターホン親機２へ送信するのみであるため、設定作業等についても簡易に行うことができる。
【００１９】
また、監視ユニット１に、アーム１３の姿勢を検出する姿勢検出スイッチ１７が設けられており、アーム１３が傾倒姿勢にあるとバッテリー１６はＯＦＦとなり、アーム１３が起立姿勢になると、姿勢検出スイッチ１７により検出されてバッテリー１６がＯＮとなるため、バッテリー１６の消耗を抑えることができ、不正に扉６が開かれた際、より確実に監視カメラ１１等を作動させることができる。
【００２０】
さらに、監視ユニット１に、警告音を報音するためのスピーカ２２を備えており、監視カメラ１１による撮像開始後、所定の待機時間の経過をもって、スピーカ２２を作動させ、所定の警告時間にわたり警告音を報音する。したがって、撮像開始と同時に警告音を報音するようなものと比較して、撮像開始から警告音の報音までの時間を利用して、扉がどのような状況で開いたのかをより確実に撮像することができ、防犯性を向上することができる。
【００２１】
なお、本発明に係るインターホンシステムは、上記実施形態の態様に何ら限定されるものではなく、インターホン子機やインターホン親機を含めたインターホンシステムの全体的な構成は勿論、監視ユニットに係る構成についても、本発明の趣旨を逸脱しない範囲で、必要に応じて適宜変更することができる。
【００２２】
たとえば、上記実施形態では監視ユニットにバッテリーを設けるとしているが、当該バッテリーに関しては、アームの姿勢変更に伴って発電可能な所謂ハーベスト発電機を介在させることにより、逐次充電可能に構成することも可能である。
また、監視カメラによる撮像やマイクによる録音、そして警告音の報音について、上記実施形態では撮像開始からの時間により停止するとしているが、インターホン親機で停止操作が行われるまで継続するように構成しても何ら問題はない。
【符号の説明】
【００２３】
１・・監視ユニット、２・・インターホン親機、５・・モニター、６・・扉、１１・・監視カメラ、１３・・アーム、１５・・ケース体、１６・・バッテリー、１７・・姿勢検出スイッチ、１８・・引張検出スイッチ、２０・・ＣＰＵ、２１・・マイク、２２・・スピーカ、２３・・通信部。
【図１】
2018081633.tif 000003
【図２】
2018081633.tif 000004